(57)【要約】【課題】袋用の包装材として、耐薬品性、薬効成分や香料成分に対する非吸着性、また香気成分の保持性等の特性を確保し、収納された医薬品や健康食品等の内容物の安定性がよく、その効能や香気性を長期間良好に保持でき、しかも引き裂き開封性も良好な包装材を得る。【解決手段】基材層（１）の少なくとも片面にシール層としてのポリエチレンフィルム（４）をラミネートしてなる袋用の包装材（Ａ）において、袋内面側になる前記フィルム面に、ポリアクリロニトリルの溶液をコーティングして形成した比較的薄いコート膜（５）を形成する。【選択図】        図１
2004210356.tif 000002
【特許請求の範囲】
【請求項１】
基材層の少なくとも片面にシール層としての樹脂フィルムをラミネートしてなる袋用の包装材であって、袋内面側になる前記樹脂フィルム面に、ポリアクリロニトリルの溶液をコーティングして形成したコート膜が設けられてなることを特徴とする包装材。
【請求項２】
前記基材層の片面にアルミ箔とポリエチレン等の樹脂フィルムとが順次ラミネートされて、前記樹脂フィルム面にポリアクリロニトリルのコート膜が設けられてなる請求項１に記載の包装材。
【請求項３】
前記基材層が紙またはセロハンよりなる請求項１または２に記載の包装材。
【請求項４】
前記基材層がポリエステル、ナイロン、延伸ポリプロピレン等の合成樹脂フィルムよりなり、該基材層の所要の箇所に包装袋における開封用のミシン目状切り込み線が形成されてなる請求項１または２に記載の包装材。
【発明の詳細な説明】
【０００１】
【発明の属する技術分野】
本発明は、主として粉体状、顆粒状の医薬品や健康食品等の包装袋に用いる包装材に関するものである。
【０００２】
【従来の技術と発明が解決しようとする課題】
従来より、粉体状、顆粒状の医薬品、健康食品等の包装においては、主に合成樹脂フィルムを基材とする複合構造の包装材、例えば、特にガスバリア性等を必要とする場合には、合成樹脂フィルムを基材層としてその片面にアルミ箔及びシール層としてのポリエチレン等の樹脂フィルムを順次ラミネートしたもの、またグラシン紙等の紙あるいはセロハンを基材層としてその片面に前記同様にアルミ箔と樹脂フィルムをラミネートしたものが知られている。
【０００３】
さらに、近年、前記包装材を用いた包装袋での帯電作用による内容物の流出性（滑動性）の悪化、防湿性（ガスバリア性）の低さ等を改善する目的で、前記包装材の袋内面側になる樹脂フィルム面に、帯電し難くて内容物の滑動性がよく、防湿性も良好なポリ塩化ビニリデンのコート膜を形成することが提案されている（例えば、下記の特許文献１）。
【０００４】
【特許文献１】
実公昭５８−２０３５４号公報  （第１−２頁、第１−２図）
【０００５】
【発明が解決しようとする課題】
しかしながら、前記ポリ塩化ビニリデンのコート膜は、特に医薬品、香料関係、健康食品等の包装分野において要望の高い耐薬品性、薬効成分や香料成分に対する非吸着性、保香性等の性能の点では充分に満足できるものではなく、内容物の安定性保持の点でさらなる改良が求められている。
【０００６】
そこで、前記性能の向上を図るために、種々の研究を行った結果、ポリアクリロニトリルが、前記性能に特に優れており、しかもヒートシール性も良好であることを知見したものである。
【０００７】
ところが、前記包装材の袋内面側になる樹脂フィルム面に、前記ポリアクリロニトリルのフィルムをラミネートすることとした場合は、前記の性能が改善されるものの、製袋上において高温でのシールが必要で、内容物に悪影響を与えるおそれがある上、耐引き裂き性が悪くなり、ヒートシールにより製袋した場合に容易に開封することができない。すなわち、前記フィルムをラミネートする場合、その厚みは薄いものでも２５ミクロン以上はあるため、これをラミネートした場合に、引き裂き開封するのは容易でない。
【０００８】
そのため、シール部分に開封助成のための切込みやＶ字状の切欠き等のノッチを形成しておく必要があるが、それでもなお、所定の方向に容易に引き裂くことができない場合がある。例えば、前記ラミネートフィルムを筒状にして、その両端をシールしたピロー形態あるいはスティック形態の袋の場合、上下両端のシール部分にノッチを形成する必要があり、筒体を横断する方向に開封することができない。また、前記のノッチが不良の場合には、容易に破れなかったりして、開封時に内容物を飛散させるおそれがある。したがって、医薬品や健康食品用の包装材として、バリアーフリーを意図したデザインには適さない。
【０００９】
さらに、ヒートシールと同時にノッチを形成する場合、異物が混入するおそれがあり、刃物の切れ具合等の管理も面倒である。
【００１０】
本発明は、上記に鑑みてなしたものであり、例えば医薬品や健康食品用の包装材として、前記のポリアクリロニトリルをできるだけ薄い膜の層にして、前記性能を確保しながら引き裂き性も良好に保持し、バリアーフリー等の観点から、内容物の保護や流通時の安全性を確保しながら、誰でも容易に開封でき、内容物の取り出しを容易にできる包装材を提供するものである。
【００１１】
【課題を解決するための手段】
上記の課題を解決する本発明は、基材層の少なくとも片面にシール層としての樹脂フィルムをラミネートしてなる袋用の包装材であって、袋内面側になる前記樹脂フィルム面に、ポリアクリロニトリルの溶液をコーティングして形成したコート膜が設けられてなることを特徴とする。
【００１２】
この包装材は、例えば粉体状や顆粒状の医薬品、あるいは健康食品等の包装袋に使用するもので、その際、前記のコート膜を袋内面側にして周縁部をヒートシール等の手段によりシールし、内容物を封入した包装袋とする。コーティングにより形成されたポリアクリロニトリルは、ヒートシール性がよく、比較的低温でヒートシールでき、熱による内容物の成分の劣化を防止できる。この包装袋は、内容物が接する内面に設けられた前記ポリアクリロニトリルのコート膜が耐薬品性のほか、薬効成分や香料成分に対する非吸着性に優れ、また香気成分を長時間保持する機能にも優れているため、収納された医薬品や健康食品等の内容物の安定性がよく、その効能や香気性を長期間良好に保持できる。また、前記コート膜は滑り性もよく、内容物充填時の機械特性も良好である。
【００１３】
しかも、前記のコート膜は、フィルムのラミネートとは違い、きわめて薄い膜の層になるため、引き裂き性を悪化させず、前記袋を容易に引き裂き開封できることになる。
【００１４】
前記の包装材は、基材層の片面にアルミ箔とポリエチレン等の樹脂フィルムとが順次ラミネートされて、前記樹脂フィルム面にポリアクリロニトリルのコート膜が設けられてなるものが好適である。これにより、前記性能を有するのに加えて、防湿性やガスバリア性を良好に保持できる。
【００１５】
前記基材層としては、グラシン紙等の紙またはセロハン等の比較的引き裂き性のよいシート材を使用することも、またポリエステル、ナイロン、延伸ポリプロピレン等の合成樹脂フィルムを使用することもできる。
【００１６】
前記の紙等のシート材の場合、フィルムに比べて引き裂き性がよく、ノッチ等の引き裂き助成手段を設けずとも、包装袋を容易に引き裂き開封できる。
【００１７】
前記の合成樹脂フイルムを基材層とする場合、その所要の個所に包装袋における開封用のミシン目状切り込み線を形成しておくのが好ましい。すなわち、基材層としての合成樹脂フイルムが引き裂きに対して強いものであっても、前記ミシン目状の切り込み線を袋の開封ラインに設定しておくことにより、該切り込み線を利用して容易に引き裂き開封することができる。
【００１８】
【発明の実施の形態】
次に本発明の実施の形態を図面に示す実施例に基づいて説明する。
【００１９】
図１は、本発明に係る袋用の包装材の１実施例を示す一部の拡大断面図、図２は同上の包装材を使用した包装袋の一部を切欠した略示正面図である。
【００２０】
図１において、この包装材（Ａ）は、グラシン紙等の比較的引き裂き性のよい紙（１ａ）を基材層（１）として、その片面、特に袋にしたときに内面側になる面に、接着層としてのポリエチレン層（２）を介してアルミ箔（３）がラミネートされるとともに、該アルミ箔（３）の面にシール層としての樹脂フィルムであるポリエチレンフィルム（４）が順次ラミネートされている。そして、袋に使用した場合の袋内面側になる前記ポリエチレンフィルム（４）の面に、ポリアクリロニトリル（ＰＡＮ）の溶液をコーティングして形成したコート膜（５）が設けられている。前記基材層（１）として紙に代えてセロハンを使用することもできる。
【００２１】
この包装材（Ａ）は、例えば粉体状や顆粒状の医薬品、あるいは健康食品等の包装袋（Ｂ）に使用するもので、この際、図２のように、前記ポリアクリロニトリルのコート膜（５）を内面側にしてその内面同士を対接させてシールすることにより筒状にし、さらに該筒状体の上下両端においてヒートシール等の手段によりシールし、ピロー形態あるいはスティッ形態の包装袋（Ｂ）とする。（６）は長手方向のシール部を示し、（７）（８）は上下両端のシール部を示す。
【００２２】
前記ポリアクリロニトリルのコート膜（５）は、ヒートシール性がよくて、比較的低温でヒートシールできるので、ヒートシール時の熱による内容物の成分の劣化のおそれがない。しかもシール層としてのポリエチレンフィルム（４）の面にコーティングされているため、該コート膜（５）がきわめて薄い膜の層であっても、前記のように内面同士を対接させて確実に接合しシールできることになる。なお、袋内部には粉体状や顆粒状の薬剤や食品等の内容物を封入する。
【００２３】
この包装袋（Ｂ）は、前記アルミ箔（３）により、防湿性やガスバリア性を良好に保持できるばかりか、内容物が接する内面に設けられている前記ポリアクリロニトリルのコート膜（５）は、耐薬品性のほか、薬効成分や香料成分に対する非吸着性に優れ、また香気成分を長時間保持する機能にも優れている。そのため、収納された医薬品や健康食品等の内容物の安定性がよく、その効能や香気性を長期間良好に保持できるものとなる。また前記コート膜（５）は滑り性もよく、内容物充填時の機械特性も良好に確保される。
【００２４】
しかも、前記ポリアクリロニトリルのコート膜（５）は、フィルムのラミネートとは異なり、３〜５ミクロン程度のきわめて薄い膜の層にできるために、引き裂き性を悪化させることがない。そのため、前記基材層（１）が比較的引き裂き性のよいグラシン紙等の紙（１ａ）あるいはセロハン等よりなる場合、ノッチ等の引き裂き助成手段を設けなくても、容易に引き裂き開封できることになる。例えば、この実施例のスティック形態の包装袋（Ｂ）を、任意の位置で横断方向に引き裂き開封することも容易である。それゆえ、誰でも容易に開封でき、開封時に内容物を飛散させるおそれがなく、障害者等でも医薬品等の内容物を容易に取り出し、服用できることになる。なお、想定した開封ラインに沿って引き裂き助成のためのミシン目状の切込線を形成しておくと、開封がさらに容易になる。
【００２５】
なお、前記シール部（７）（８）の端縁を三角形の山谷による凹凸状に形成したり、該シール部（７）（８）に引き裂き開封助成のためのノッチを形成しておくこともできる（図示せず）。
【００２６】
図３は本発明の包装材の他の実施例を示す一部の拡大断面図、図４は同上の包装材を使用した包装袋の略示斜視図である。
【００２７】
この実施例の包装材（Ａ）は、基材層（１）として、ポリエステル、ナイロン、延伸ポリプロピレン等の比較的引き裂き性の強い合成樹脂フィルム（１ｂ）よりなる場合を示しており、上記の実施例と同様に、該基材層（１）の内面側、つまり袋にしたときに内面側の面に、ポリエチレン層（２）を介してアルミ箔（３）がラミネートされるとともに、該アルミ箔（３）の面にポリエチレンフィルム（４）が順次ラミネートされ、さらに該ポリエチレンフィルム（４）の面に、ポリアクリロニトリルの溶液をコーティングして形成したコート膜（５）が設けられている。
【００２８】
そして、基材層（１）としての前記合成樹脂フイルム（１ｂ）には、その所要の個所に、包装袋における開封用のミシン目状切り込み線（９）が所定の個所に形成されている。この切り込み線（９）は、他のアルミ箔や樹脂フィルム層等の他の層により塞がれるため、防湿性やガスバリア性を損なうことはない。
【００２９】
前記のミシン目状切り込み線（９）は、この包装材（Ａ）により構成した包装袋（Ｂ）の形態に応じて設定される開封ラインに沿って形成される。例えば、ピロー形態あるいはスティック形態の包装袋（Ｂ）の場合、図のように一端側のシール部（７）に近い位置で横断方向に開封できるように形成するものとする。このミシン目状切り込み線（９）としては、引き裂き開封できるモノであれば、図４及び図５（ｂ）のように断続した直線状の切目その他のどのような形態のものであってもよいが、実施上は、図５（ａ）に略示するような略ハ字形の切目の繰り返しによる２列のミシン目状をなすもの等、破断方向の逸れを補正できる機能を有する変形ミシン目状の切り込み線よりなるものが好適である。
【００３０】
この実施例の包装材（Ａ）においても、粉体状や顆粒状の医薬品、あるいは健康食品等の包装において、上記の実施例と同様に、前記ポリアクリロニトリルのコート膜（５）を内側にして包装袋（Ｂ）を構成して使用するもので、上記実施例と同構成部位については同符号を付している。この場合も、内面のポリアクリロニトリルのコート膜（５）により、収納された医薬品や健康食品等の内容物の安定性がよく、その効能や香気性を長期間良好に保持できる。
【００３１】
しかも、基材層（１）としての合成樹脂フィルム（１ｂ）が比較的引き裂きに対して強いものであっても、前記ポリアクリロニトリルのコート膜（５）がきわめて薄い膜の層であるとともに、基材層（１）としての合成樹脂フィルム（１ｂ）には前記のミシン目状の切り込み線（９）が設けられているため、前記ミシン目状の切り込み線（９）の個所で容易に引き裂くことができる。したがって、前記の切り込み線（９）を包装袋（Ｂ）における所定の開封ラインに沿って設けておくことにより、該袋を容易に引き裂き開封できることになる。
【００３２】
上記のいずれの実施例の包装材Ａにおいても、アルミ箔３を積層した場合を示したが、内容物によっては、このアルミ箔を省略して実施することもできる。
【００３３】
また、前記の包装材（Ａ）を使用する包装袋（Ｂ）の形態としては、上記したピロー形態あるいはスティック形態の袋に限らず、例えば図６のように、前記ポリアクリロニトリルのコート膜（５）を内面側にして二つ折状に折曲して、他の３方の辺部において表裏体（１１）（１２）同士をヒートシール等の手段によりシールした所謂３方シール形態の袋、あるいは図７のように、表裏体を四周の各辺部でシールした４方シール形態の袋、また図８のように、前記同様に筒状にシールした筒体の両側をガセット状に折り込んでシールした袋その他の種々の袋形態による実施が可能である。図６及び図７における（１３）は辺部のシール部を示す。
【００３４】
いずれも、その積層構造や材質、ミシン目状の切り込み線等は上記と同様に実施できる。また前記ポリアクリロニトリルのコート膜（５）を袋内面側にして製袋する。
【００３５】
また、前記の３方シール形態や４方シール形態の袋の場合、シール部（１３）の端縁を三角形の山谷による凹凸状に形成したり、該端縁にノッチを形成しておくこともできる（図示せず）。
【００３６】
【発明の効果】
上記したように本発明の包装材によれば、ポリアクリロニトリルのコート膜を袋内面側にして袋を構成することにより、耐薬品性、薬効成分や香料成分に対する非吸着性、香気成分の保持性等に優れ、収納された医薬品や健康食品等の内容物の安定性がよく、その効能や香気性を長期間良好に保持できる。しかも前記のポリアクリロニトリルのコート膜が、フィルムのラミネート層とは違い、きわめて薄い膜の層になるため、引き裂き性をも良好に保持でき、前記包装袋での引き裂き開封にも優れる。そのため、例えば医薬品や健康食品用の包装材として、バリアーフリー等の観点から、内容物の保護や流通時の安全性を確保しながら、誰でも容易に開封でき、内容物の取り出しを容易にできる包装材を提供できる。また前記ポリアクリロニトリルのコート膜により、低温シールが可能で、ヒートシール時の内容物の熱劣化を防止できる効果もある。
【図面の簡単な説明】
【図１】本発明の袋用の包装材の１実施例を示す一部の拡大断面図である。
【図２】同上の包装材を使用した包装袋の一部を切欠した略示斜視図である。
【図３】本発明の包装材の他の実施例を示す一部の拡大断面図である。
【図４】同上の包装材を使用した包装袋の略示斜視図である。
【図５】ミシン目状切り込み線を拡大した略示説明図である。
【図６】本発明の包装材を使用する包装袋の他の例を示す略示正面図である。
【図７】本発明の包装材を使用する包装袋のさらに他の例を示す略示正面図である。
【図８】本発明の包装材を使用する包装袋のさらに他の例を示す略示斜視図である。
【符号の説明】
（Ａ）    包装材
（Ｂ）    包装袋
（１）    基材層
（１ａ）  紙
（１ｂ）  合成樹脂フィルム
（２）    ポリエチレン層
（３）    アルミ箔
（４）    ポリエチレンフィルム
（５）    ポリアクリロニトリルのコート膜
（６）（７）（８）  シール部
（９）    ミシン目状切り込み線
（１１）（１２）  表裏体
（１３）    シール部
【図１】
2004210356.tif 000003
【図２】
2004210356.tif 000004
【図３】
2004210356.tif 000005
【図４】
2004210356.tif 000006
【図５】
2004210356.tif 000007
【図６】
2004210356.tif 000008
【図７】
2004210356.tif 000009
【図８】
2004210356.tif 000010